(57)【特許請求の範囲】
【請求項１】
複数の店舗に設けられた端末と、これら端末が通信回線を介して接続されるホスト装置とからなり、前記ホスト装置を固有情報部及び得点情報部を有する記憶装置と、電子時計と、抽選部と、プログラムと、中央演算部（ＣＰＵ）とワークメモリとから構成し、前記電子時計では日時を計測し、
前記いずれかの店舗で顧客が最初の商取引を行うと、この商取引の金額を端末に入力するとともに、当該顧客を特定する固有情報と金額に対応する優遇得点とを持ち運び可能な得点保持部に記録し、この端末から前記ホスト装置に前記固有情報及び前記優遇得点とを前記通信回線を介して送信し、前記記憶装置には、前記得点保持部に関する前記固有情報及び前記優遇得点とを登録する初期処理を実行し、前記複数の端末から同様にこの初期処理を実行して、多数の得点保持部に関する前記情報を前記記憶装置内に集合し、
以後前記端末に前記発行済み得点保持部を使用して金額を入力する際にはこの金額に対応した今回優遇得点を当該得点保持部に追加し、この端末から前記ホスト装置に当該得点保持部の前記固有情報及び今回優遇得点を送信し、前記ホスト装置では前記固有情報に従って今回優遇得点を当該得点情報部に加算して更新する追加処理を行い、前記複数の端末と前記ホスト装置との間で、前記初期処理及び追加処理を繰り返し実行することで発行済み得点保持部の数が増大し且つ前記記憶装置の各得点情報部には優遇得点が累積され、
前記中央演算部（ＣＰＵ）は、前記プログラムに予め設定した日時と電子時計で計測された日時とを比較して一致したかどうか判断し、
未だ一致していない場合には、前記初期処理及び追加処理を繰り返し実行し、
一致した場合には、前記記憶装置の前記得点情報部にある全ての優遇得点を総計し前記ワークメモリに記録し、次に前記得点情報部からこれら全ての優遇得点をそれぞれ消去し、全ての前記固有情報を対象に、前記抽選部によりくじ引きを行い、
少数で複数の固有情報を選出して前記ワークメモリにくじ引き結果として記録し、前記総計した優遇得点を賞品としてこれら固有情報に対応する得点保持部に分配し、このくじ引き結果と配分された商品とを前記記憶装置内の当該固有情報部に対応して記録し、その後前記ホスト装置は前記通信回線を介して前記各端末及び各得点保持部に前記くじ引きの結果と配分された賞品とをそれぞれ通知するとともに、各得点保持部にある累積された優遇得点を消去するようにしたことを特徴とする顧客優遇得点を利用したくじ引きシステム。
【請求項２】
前記得点保持部が買い物カード又は携帯電話又は印刷物であることを徴とする請求項１に記載の顧客優遇得点を利用したくじ引きシステム。
【請求項３】
複数の店舗に設けられた端末と、これら端末が通信回線を介して接続されるホスト装置とからなり、前記ホスト装置を固有情報部及び得点情報部を有する記憶装置と、電子時計と、抽選部と、プログラムと、中央演算部（ＣＰＵ）と、ワークメモリと、予め目標得点及び参加会員数からなるくじ引き条件とが設定された組合せ表とから構成するとともに、前記記憶装置は一般情報ファイルと複数のグループファイルとに区分し、前記電子時計では日時を計測し、
前記いずれかの店舗で顧客が最初の商取引を行うと、この商取引の金額を端末に入力するとともに、当該顧客を特定する固有情報と金額に対応する優遇得点とを持ち運び可能な得点保持部に記録し、この端末から前記ホスト装置に前記固有情報と前記優遇得点及び目標得点と参加会員数のくじ引き条件を前記通信回線を介して送信し、前記複数の端末から同様にこの初期処理を実行して、多数の得点保持部に関する前記情報と前記くじ引き条件を前記前記記憶装置の一般情報ファイルに集合し、
以後前記端末に前記発行済み得点保持部を使用して金額を入力する際には金額に対応した今回優遇得点を当該得点保持部に追加し、この端末から前記ホスト装置に当該得点保持部の前記固有情報及び今回優遇得点を送信し、前記ホスト装置では前記固有情報に従って今回優遇得点を当該得点情報部に加算して更新する追加処理を行い、前記複数の端末と前記ホスト装置との間で、前記初期処理及び追加処理を繰り返し実行することで発行済み得点保持部の数が増大し且つ前記記憶装置の各得点情報部には優遇得点が累積され、
中央演算部（ＣＰＵ）は常時一般情報ファイル内を検索して前記目標得点を満たす累積された優遇得点を検出すると、その対応する固有情報と当該優遇得点とを前記グループファイルに移す移動処理を実行し、
次に中央演算部（ＣＰＵ）はグループファイル内を検索して固有情報の数と前記組合せ表にある参加会員数とを比較しこれらが一致したかどうか判断し、
未だ一致していない場合には、前記初期処理と追加処理及び移動処理を繰り返し実行して、発行済み得点保持部の数が増大し且つ優遇得点がそれぞれ累計され、グループファルイルに移される当該固有情報の数が増大し、
一致した場合には、前記グループファイルに移された全ての固有情報とその目標得点とをそれぞれ総計するとともに、前記グループファイルにある前記目標得点を各得点情報部からそれぞれ消去し、これら全ての固有情報を対象に、前記抽選部によりくじ引きを行い、
少数で複数の固有情報を選出して、前記ワークメモリにくじ引き結果として記録し、
前記総計した優遇得点を賞品としてこれら固有情報に対応する得点保持部に分配し、このくじ引き結果と配分された賞品とを前記グループファイルの当該固有情報部に対応して記録し、
その後前記ホスト装置は前記通信回線を介して前記各端末、及び前記グループファイルにある前記全ての固有情報に対応する得点保持部に前記くじ引きの結果と配分された商品とをそれぞれ通知するとともに、これら得点保持部にある前記目標得点を消去するようにしたことを特徴とする顧客優遇得点を利用したくじ引きシステム。
【請求項４】
前記得点保持部が買い物カード又は携帯電話又は印刷物であることを特徴とする請求項３に記載の顧客優遇得点を利用したくじ引きシステム。
【請求項５】
複数の店舗に設けられた端末と、これら端末が通信回線を介して接続されるホスト装置とからなり、前記ホスト装置を固有情報部及び得点情報部を有する記憶装置と、プログラムと、中央演算部（ＣＰＵ）とワークメモリとから構成し、
前記いずれかの店舗で顧客が最初の商取引を行うと、この商取引の金額を端末に入力するとともに、当該顧客を特定する固有情報と金額に対応する優遇得点とを持ち運び可能な得点保持部に記録し、この端末から前記ホスト装置に前記固有情報及び前記優遇得点とを前記通信回線を介して送信し、前記記憶装置には、前記得点保持部に関する前記固有情報及び前記優遇得点とを登録する初期処理を実行し、前記複数の端末から同様にこの初期処理を実行して、多数の得点保持部に関する前記情報を前記記憶装置内に集合し、
複数の前記得点保持部と複数の前記端末と前記ホスト装置との組により前記商取引の同一業種集団を形成し、このような同一業種集団を互いに異なる業種間に渡ってそれぞれ複数形成し、これら異業種間の複数の各ホスト装置同士を統合制御部により結合して互いの各記憶装置内の各保持部情報を統合し、
前記統合制御部には電子時計と、抽選部と、調整プログラムとを備え、
次に前記統合制御部において前記電子時計では日時を計測し、
以後前記各同一業種集団内の各端末に前記発行済み得点保持部を使用して金額を入力する際にはこの金額に対応した今回優遇得点を当該得点保持部に追加し、この端末から前記ホスト装置に当該得点保持部の前記固有情報及び今回優遇得点を送信し、前記ホスト装置では前記固有情報に従って今回優遇得点を当該得点情報部に加算して更新する追加処理を行い、前記複数の端末と前記各ホスト装置との間で、前記初期処理及び追加処理をそれぞれ繰り返し実行することで発行済み得点保持部の数が増大し且つ前記記憶装置の各得点情報部には優遇得点が累積され、
前記統合制御部は、一の前記プログラムに予め設定した日時と前記電子時計で計測された日時とを比較して一致したかどうか判断し、
未だ一致していない場合には、前記初期処理及び追加処理を繰り返し実行し、
一致した場合には、前記統合制御部は前記異業種間に渡る全ての前記得点情報部にある各優遇得点を統合総計し、一の前記ワークメモリに記録し、次に前記得点情報部からこれら全ての優遇得点をそれぞれ消去し、全ての前記固有情報を対象に、前記抽選部によりくじ引きを行い、
少数で複数の固有情報を選出して一の前記ワークメモリにくじ引き結果として記録し、前記総計した優遇得点を賞品としてこれら固有情報に対応する得点保持部に分配し、このくじ引き結果と配分された商品とを全ての前記記憶装置内の当該固有情報部に対応して記録し、その後前記統合制御部は前記ホスト装置を介して前記各端末及び各得点保持部に前記くじ引きの結果と配分された賞品とをそれぞれ通知するとともに、各得点保持部にある累積された優遇得点を消去するようにしたことを特徴とする顧客優遇得点を利用したくじ引きシステム。
【請求項６】
前記得点保持部が買い物カード又は携帯電話又は印刷物であることを特徴とする請求項５に記載の顧客優遇得点を利用したくじ引きシステム。
【発明の詳細な説明】
【０００１】
【発明の属する技術分野】
この発明は、買い物時にサービスとして得られる顧客優遇得点を利用したくじ引きシステムに関し、特に詳しくは顧客優遇得点を有効に活用して個人消費を円滑にするくじ引きシステムに関する。
【０００２】
【従来の技術】
お買い物サービスでは古くからブルーチップが知られている、主に主婦を対象にして毎日の食品購入時に支払金額に比例した商品券的な小額の金券シールを配るものがある。この金券シールは切手大であり、小額の１円や５円単位の得点が台紙とともに顧客に無料で提供される。主婦等は台紙にこのシールを貼って、台紙がシールで一杯になると次ぎの台紙にこのシールを貼って集める。
金券シールの得点の合計が所定の高得点になると、この高得点を使用して商品が購入できるか、大きい買い物では代金の一部として支払に使えるシステムである。専業主婦等はこのシールを集めることが、日常の買い物でのささやかな楽しみとなっていた。
【０００３】
最近の電気製品の量販店では希望する顧客にポイントカードを発行し、以後の買い物では料金の受け渡し時に電子的に自動的に得点（サービスポイント）を累積していくシステムが行われている。
更に航空会社では、搭乗券の購入時に顧客優遇としてマイル（マイレージ）カードを発行し、旅行距離に比例してマイル点数を与えるマイル積み立て方式を取っている。顧客が積み立てたマイル数が所定の距離に達すると、該当するの区間の無料航空券と交換するものである。
【０００４】
【発明が解決しようとする課題】
雑多で小額の金券シールでは、多忙な働く婦人や勤め人の男性や学生は、お店から台紙と金券シールを受け取っても、台紙にシールをこまめに貼ることは殆どできなかった。これらは机の引き出しに放置し、そのうちゴミになるか、最初からごみ箱に直行して無駄に捨てられていた。
従来のポイントカードの得点数では、電子化されて台紙に金券シールをこまめに貼ることの煩わしさはなくなったが、ポイントカードの得点数が大きくなるまでな長い間待たなければならず、つい無関心になってしまうのが現状である。
又マイルカードの場合は、職業上頻繁に航空機を利用する人にとってはありがたいものであるが、たまにしか飛行機を利用しない一般客にとっては、マイル数が大きくなるまで待たなければならないので、ここでもつい無関心になってしまうのが現状である。
【０００５】
この発明は、金券シールの点数やポイント数やマイル数が大きくなるまで待つことなく、誰にでも容易に簡単に有効に活用できる買い物得点を有効利用するシステムを提供することを目的とする。
更にポイント数等を原資として全ての買い物得点得点保持者を対象にしたくじ引きを行い、当選者に高額の金券商品を付与し、買い物を広く消費者の健全な娯楽に高め、日々の消費生活に楽しみを与え活性化することを目的とする。
【０００６】
【課題を解決する手段】
この発明は、上記問題を解決するためになされたもので、複数の店舗に設けられた端末と、これら端末が通信回線を介して接続されるホスト装置とからなり、前記ホスト装置を固有情報部及び得点情報部を有する記憶装置と、電子時計と、抽選部と、プログラムと、中央演算部（ＣＰＵ）とワークメモリとから構成し、前記電子時計では日時を計測し、
前記いずれかの店舗で顧客が最初の商取引を行うと、この商取引の金額を端末に入力するとともに、当該顧客を特定する固有情報と金額に対応する優遇得点とを持ち運び可能な得点保持部に記録し、この端末から前記ホスト装置に前記固有情報及び前記優遇得点とを前記通信回線を介して送信し、前記記憶装置には、前記得点保持部に関する前記固有情報及び前記優遇得点とを登録する初期処理を実行し、前記複数の端末から同様にこの初期処理を実行して、多数の得点保持部に関する前記情報を前記記憶装置内に集合し、
以後前記端末に前記発行済み得点保持部を使用して金額を入力する際にはこの金額に対応した今回優遇得点を当該得点保持部に追加し、この端末から前記ホスト装置に当該得点保持部の前記固有情報及び今回優遇得点を送信し、前記ホスト装置では前記固有情報に従って今回優遇得点を当該得点情報部に加算して更新する追加処理を行い、前記複数の端末と前記ホスト装置との間で、前記初期処理及び追加処理を繰り返し実行することで発行済み得点保持部の数が増大し且つ前記記憶装置の各得点情報部には優遇得点が累積され、
前記中央演算部（ＣＰＵ）は、前記プログラムに予め設定した日時と電子時計で計測された日時とを比較して一致したかどうか判断し、
未だ一致していない場合には、前記初期処理及び追加処理を繰り返し実行し、
一致した場合には、前記記憶装置の前記得点情報部にある全ての優遇得点を総計し前記ワークメモリに記録し、次に前記得点情報部からこれら全ての優遇得点をそれぞれ消去し、全ての前記固有情報を対象に、前記抽選部によりくじ引きを行い、
少数で複数の固有情報を選出して前記ワークメモリにくじ引き結果として記録し、前記総計した優遇得点を賞品としてこれら固有情報に対応する得点保持部に分配し、このくじ引き結果と配分された商品とを前記記憶装置内の当該固有情報部に対応して記録し、その後前記ホスト装置は前記通信回線を介して前記各端末及び各得点保持部に前記くじ引きの結果と配分された賞品とをそれぞれ通知するとともに、各得点保持部にある累積された優遇得点を消去するようにした。
【０００７】
【発明の実施の形態】
各種業界の小売り商では顧客に対し、商品販売時にサービスとして販売価格に比例した買い物得点を無料で提供している。いわゆる顧客に対する優遇得点のサービスポイントがそれである。
これら買い物得点は各消費者個人にとっては僅かな金券点数であるが、地域的に、人口的に集計すると膨大な価値の金券点数となる。
この発明は、金券点数を原資として全ての買い物客を対象にしたくじ引きを行い当選者に高額の金券商品を付与し、個人に当選への夢を与えることで、買い物を広く消費者の健全な娯楽に高め、合理的に消費生活を活性化しようとするものである。
【０００８】
以下この発明を優遇得点保持部がカードであるとして詳しく説明する。
図１において、日用品を販売する商店Ａは例えばコンビニエンストアであり、そこには売り上げ集計用の端末１が備えられている。
端末１はいわゆるＰＯＳ装置であり、通信回線２を介してホスト装置３と通信可能である。ホスト装置３は各地に分散する複数のコンビニエンストアＺ等の売り上げデータを、同様な端末１を使用して統括し管理している。
端末１は登録開始ボタン４とカード５読み取り部６と一任ボタン７と文字テンキー８とを有し、端末１は読み取り部６を通して買い物おまけの得点を顧客のカード５に入力したり、カード５にある得点を減算したりする。
【０００９】
文字テンキー８は売り上げた商品コードと価格を入力し、登録開始ボタン４はカード５を初めての顧客に最初に発行する時に使用し、一任ボタン７は発行済みのカード５を読み取り部６に挿入する時使用する。
店舗Ａには未登録のカード５を多数備え、このような端末１は他の多くの店にも置かれており、店舗Ｚの端末１もほぼ同様に構成されている。
ホスト装置３は磁気製の記憶装置１０と電子時計１１と抽選部１２とプログラム１３と中央演算部（ＣＰＵ）２０とワークメモリ２１とから構成される。
記憶装置１０には、保持部情報の一般ファイル１６と第１ファイル１７と第２ファイル１８と第３ファイル１９と条件（組合せ）表２２その他が形成され、またプログラム１３と、これに関連付けられたサブプログラムの一任方式１４と賭け数指定方式１５とが形成されている。
【００１０】
売り上げに（対応）比例した得点は端末１に内蔵したプログラムで算出してもよく、ホスト装置３と通信してホスト側にあるプログラム１３を使用して算出してもよい。
買い物に対するおまけ（サービス）のポイントは、例えば１００円以上で一律１％など各種設定でき、１ポイントが１円又は2．５円でも、１０ポイントで１円対応でもよい。以下の説明では簡単のため１ポイント１円としている。
このようなおまけの設定は商店が加入する組織や機関のサービスシステム側が決定し顧客に公表し、且つホスト装置３のプログラム１３に予め組み込まれている。
【００１１】
各端末１からは図2に示すように、カード５の固有の識別番号ｘｘｘｘと商店Ａの固有情報ｙｙｙｙがホスト装置３に通信回線２を介して送られ、ホスト装置３では記憶装置１０に登録される。かくして初期処理が１回完了する。必要であればまたは顧客が希望すればの個人情報を文字テンキー８などを使用して入力し、これらの固有情報もホスト装置３に送ることができる。
通常、ホスト装置３は１台でそのバックアップを含めて数台であるが、端末１の数は地域や消費者の人口に応じて１００台から何千台が設置可能であり、カード５の数は消費者の数だけ発行可能で、何万、何十万、何百万枚と発行可能である。
但し、図１では単に１台のホスト装置３と複数の端末１と複数のカード５を示して説明している。
【００１２】
まず、同一業種における、一任方式くじ引きについて説明する。これは顧客が蓄積したポイントとくじ引執行をこのシステムの管理者に一任する方式である。
一任方式１４（このプログラムを使用）ではサービスシステム側のプログラム１３で所定の日、例えば毎月「10日」を定めて、カード５の得点に無関係に、全カード例えば20万人分について、その日にくじ引きを行なう。当選賞金の原資はこれら全カード例えば20万人分の得点の総計である。
一人が少なくとも1ポイント以上登録されているので、合計20万ポイントを1等、2等、…の順位を決めて賞金を例えば10人以内に分配する。個人にとっては大きなポイントとなる。個人のポイントが５、６００とすると1億以上のポイントとなる。
店舗Ａで顧客が買い物を行うと、店舗Ａではカード５を顧客に発行する。このカード５は名刺大で財布に入れて持ち運び可能でる。
【００１３】
図2を参照して、この端末１からホスト装置３に当該カード５を発行した店舗名、その電話番号、電子メールアドレス、住所等の固有情報、当該カード５の識別番号、店名、価格及び優遇得点等の固有情報とを通信回線２を介して送信する。必要なら当該カード５を受領した顧客の名、その電話番号、電子メールアドレス、住所等の個人情報も送ることが出来る。
ホスト装置３ではＣＰＵ２０が記憶装置１０の一般ファイル１６にこれら情報を登録し、当該カード５が認知される。店舗Ｚ等複数の端末１から同様にこれらの情報をホスト装置３にそれぞれ独立に送信して複数のカード１に対応するこれらの情報を一般ファイル１６内に集合する（初期処理）。
【００１４】
次にホスト装置３では電子時計１２により日時を計測し、所定の日時に達するまで以後の商取引に関して前述のような登録処理を継続する。
発行済みのカード５がこのシステムを採用するいずれかの店舗Ｚで使用されると、端末１にその販売代金を入力する際には優遇得点が発行済みのカード５に加算される。また端末１からホスト装置３に店舗に関する前述の各種報と当該カード５に関する今回優遇得点を含む各種情報が送信される。ホスト装置３では当該カード５をその識別番号ＸＸＸＸから一般ファイル１６内で認識して、既存の優遇得点に受信した今回の優遇得点を加算して更新する。かくして追加処理が１回完了する。
【００１５】
ホスト装置３では電子時計１１からの日時信号が、所定の日時例えば「3月１０日」に達していたら、ＣＰＵ２０が一般ファイル１６内で全ての発行済みカード情報の優遇得点を総計する。
次にＣＰＵ２０は各発行済みカード情報に関するその各優遇得点をそれぞれ消去する。又抽選部１２はこれら全ての発行済みのカード５を対象にくじ引きを行う。
こうして複数の入賞カード５を選出し、このくじ引き結果を全ての発行済みカードに関して一般ファイル１６内にそれぞれ記録する。  これら選出された入賞カード５に対してのみ、総計した優遇得点の賞品を分配するように一般ファイル１６内に記録する。
【００１６】
後日、発行済みのカード５がいずれかの店舗で使用されると、端末１にその販売代金を入力する際には優遇得点が発行済みのカード５に何時ものように加算される。しかしその直後には端末１からホスト装置３に前述の各種情報が送信さて、ホスト装置３では当該カード５をその識別番号から認識する。
そして、一般ファイル１６内を参照し、当該カード５の情報には優遇得点が消去されてゼロになっており、今回の優遇得点を改めて記録する。
当該カード５がくじ引きに外れている場合は既存の優遇得点が消去されたことを、或いは当選していた場合には入賞種別と入賞獲得ポイント（1億ポイント等）とを端末１に通知する。
端末１では当該カード５に関する今回の優遇得点のみを改めて記録し、且つくじ引きの結果を表示装置に表示したり、印字装置で印字したものを顧客に渡して知らせる。入賞獲得ポイントは商品券や旅行券、サービス受領券、現金等と交換出来るようにする。
【００１７】
この一任方式では、賞金がどの程度になるのか、参加者の数がどの位になるのか各個人の消費動向に左右され、顧客には想像できない、その代わりにくじ引きの意外性が大きくなり、顧客の楽しみが大きくなる。
このように日常的な生活必需品の買い物であっても、相互扶助的なくじ引きにより大きなボーナスのような賞金獲得が可能になる。
消費者に買い物の新たな喜びを与えることになり、小売り業界において各個人の財布の紐が緩み、不況下の現在では停滞し勝ち消費の冷え込みを打開する有力な経済起爆剤になる。
【００１８】
発行済みカードの固有情報にこのカード５を所有する顧客の個人情報が含まれていたら、この個人情報に基づいてその所有者に対してホスト装置３の管理者が郵便や電話や電子メールなどにより、直接くじ引き結果を通知するようにしてもよい。またはホスト装置３の管理者がインターネット上の公開ページで入賞者のカード５の識別番号を公開し、顧客が閲覧するようにしてもよい。
一任方式１４ではカード５の得点が多い人も少ない人も平等に扱われて、得点が多い人は不利益になるが、直ぐ参加できる、毎月参加できるなどカード５を放置していてもいいので、次の賭け数指定方式（プログラムを使用）１５に比べて気楽に楽しめる特徴がある。
【００１９】
次に、前述の買い物カード５の代わりに、自動車電話や移動電話やＰＨＳ等の携帯電話を使用した場合を説明する。
図４において、店舗に備えられた端末１１には読み取り部６の代わりに又は追加してデータ交換部２６が設けられており、携帯電話２５をデータ交換部２６に結合することで、買い物時のポイントは電話２５内のデータ記憶部に累積され、これらの間で商取引に関するデータが交換できる。その他の動作は前述した図１の買い物カード５とほぼ同様である。
ホスト装置３は電話交換局３６と交信可能とし、携帯電話２５から端末１１やホスト装置３に向けて顧客名、その電話番号、電子メールアドレス、住所等の個人情報が当然転送される。電話番号が顧客を識別する基準になり、ホスト装置３からは現在の自己の優遇点数やくじ引き結果を電話やｉモードの電子メールやインターネット等で通知できる。
【００２０】
次に店舗が顧客に出張して販売する生協配達等の訪問販売などでは携帯電話もカード５も使用しない。店舗の販売人が端末１を通信回線２から分離して持ち歩き、顧客と対面してこれら端末１に商取引データを入力する。その際に、顧客の固有情報と金額に対応した優遇得点を同時に発生し、これら印刷した領収書を顧客に渡す。
その後この端末１を通信回線２に接続して、ホスト装置３に各種データを送信する。
後日訪問販売で買い物を継続すると、顧客が受け取る領収書には増加する通遇得点が印字で表示される。その他の動作はカードの場合と同様であるが、くじ引きの入賞者への通知等は、顧客の個人情報に従って、電話や郵便で行ったり、次回の訪問販売時に公開文書を渡すことで行うことができる。
【００２１】
次に同一業種における、賭け数指定方式のくじ引きについて説明する。これは顧客が自己の蓄積したポイントを何点まで獲得したらくじに提供し、何人の参加者と競うかの条件をこのシステムの管理者に申し込む方式である。
端末１の文字テンキー８から賭け数指定条件が入力される。図３の（条件）組合せ表２２の内容は予めサービスシステム側で設定する。
例えば第1グループ「１００ポイントの10万人」、第２グループ「５００ポイントの1万人」、第３グループ「１０００ポイントの1万人」、第４グループ「１００００ポイントの5千人」等の中一つを選択的に入力できる。
【００２２】
ここで第1グループ１００ポイントの10万人とは、カード５の優遇得点１００になった消費者が地域や業界、店舗に関係なく乱数的に１０万人に達したら、これらの１００ポイントを10万人分集めて１０００万ポイントとする。これら１０万人を対象にくじ引きを行い、例えば１０人を選んで当選とし、１０００万ポイントを当選者１０人に均等にまたは、順位をつけて上位には多額を分配するものである。
統計的に多数の顧客から同一目標得点と同一の参加会員数の申し込みが発生する。これらの指定データは前述の各種情報とともにホスト装置３の記憶装置１０に送られ登録される。
【００２３】
ホスト装置３でＣＰＵ１２は常時一般情報ファイル１６内を検索して同一目標得点を満たすカード情報を発見しては図2の第１グループ１７に当該カード情報を移し計数する。
各顧客は自己のカード５の優遇得点が目標得点になるまで日にちを掛けて静かに買い物を継続し、且つ指定参加会員数に達するまで待つ。
ＣＰＵ１２は（条件）組合せ表２２の条件を満たすカード情報が発生していないか常時一般情報ファイル１６内を検索する。
ランダムに目標得点を達成した会員数が増加し、一般情報ファイル１６から第１ファイル１７にカード情報が移転され、指定参加会員数が次第に達成される。その後第１ファイル１７内のこれらカード情報に関して、くじ引きに提供した得点を総計する。
【００２４】
次に第１ファイル１７内の各カード情報において、この各くじ引きに提供された目標得点５００をそれぞれ消去し、次にこれら各カード情報に対応した当該カード５全体を対象にしたくじ引きを行う。
目標得点を総計した５０万ポイント等が賞品となり、複数の入賞カード５が選出される。その後の動作は前述の一任方式とほぼ同じである。
さて、くじ引きに提供する希望の目標得点及び参加会員数は、予め各種の組合せをホスト装置３側でそれぞれ設定でき、顧客はそのうちから選択して端末１からホスト装置３に送信できる。
カード５の代わりに携帯電話２５を使用すると、携帯電話２５から直接くじ引きに提供する所定の目標得点及び参加会員数を入力する。
【００２５】
ホスト装置３は携帯電話２５を管理する電話センター３６から所有者の個人情報を得るようになっている。ホスト装置３ではこの携帯電話の番号を基にポイントを一般ファイル１６に累積する。
ホスト装置３はくじ引きを一任方式と同様に行い、にくじ引き結果を第１ファイル１７等に記録する。各携帯電話２５の所有者はホスト装置３に電話を掛けることで、自分局に関するくじ引き結果を知ることができる。またホスト装置３はくじ引き結果をインターネット上の閲覧掲示部に公開することも出来る。この場合はくじ引きが終了したことと当選者数のみ公開し、当選者の電話番号は当選者以外には公表せず、アクセスしてきた各携帯電話２５の番号が当選者の番号と一致した部分のみ表示されるようにする。携帯電話の場合、結果通知がカードに比べて便利で何時でも問い合せ可能となる。
【００２６】
次に店舗が顧客に出張して販売する生協配達等の訪問販売などでは、販売人が端末１を通信回線２から分離して持ち歩き、端末１に商取引データとともに賭け数指定条件を入力する。その際に、顧客に各種情報とともに優遇得点と賭け数指定条件を印刷した領収書を顧客に渡す。以下の動作はくじ引き結果を販売人が顧客に手渡すこと以外はカード５や携帯電話２５の場合とほぼ同じである。
【００２７】
図６において、異業種間に渡る本発明を説明する。
以下優遇得点保持部がカードである場合で説明するが、携帯電話の場合も前述の端末１１を使用すればほぼ同様になる。
複数のカード５と複数の端末１とホスト装置３との組により商取引の同一業種集団を形成する。次にこのような同一業種集団を互いに異なる業種間に渡ってそれぞれ複数形成する。
これら異業種間の複数の各ホスト装置３Ｈ、ＳＰ、３Ｑ…を通信回線３２により統合方式御部３０に結合する。
【００２８】
例えばホスト装置３Ｈは書籍販売店群を、ホスト装置３Ｐは電気製品販売店群を、ホスト装置３Ｑはガソリン販売店群をそれぞれ代表する。
統合方式御部３０では各ホスト装置３、３Ｈ、ＳＰ、３Ｑ…の各記憶装置１０内にある発行済みのカード情報及びその優遇得点を統合する。
異業種間では優遇得点が均等でない場合があり、予め異業種の業者間で換算率を決める。この数値の調整を行う調整プログラム３３を統合方式御部３０に設ける。
これにより、異業種間のポイントカード５は集積されて、各ホスト装置３等にある図１の一般ファイル１６と第１ファイル１７等が同一システムに統合される。
次に統合方式御部３０において電子時計３４により日時を計測し、例えば「１０日」に達するまでは、以後の商取引に関して前述の同一業種と同様な処理を行うよう各ホスト装置３、３Ｈ、ＳＰ、３Ｑ…に指令する。
【００２９】
統合方式御部３０で「１０日」を検出すると、異業種間に渡る複数のホスト装置３、３Ｈ、ＳＰ、３Ｑ…内の全登録カード情報がそれぞれ有する各優遇得点を統合総計し賞品（金）とする。その後各登録カード情報に関するその各優遇得点をそれぞれ消去するように各ホスト装置３、３Ｈ、ＳＰ、３Ｑ…に指令する。
次に各一般ファイル１６から統合したこれら全発行済みのカード５を対象に、統合抽選部３５によりくじ引きを行う。
統合抽選部３５は複数の入賞カード５を選出し、統合方式御部３０はこのくじ引き結果を全発行済みカード５に関して各記憶装置にそれぞれ記録するように各ホスト装置３、３Ｈ、ＳＰ、３Ｑ…に指令する。
各ホスト装置３、３Ｈ、ＳＰ、３Ｑ…にでは前述同業種と同様にこれら選出された入賞カード５に対してのみ前記賞品を分配するように各記憶装置の各一般ファイル１６に記録するする。
【００３０】
以後各ホスト装置３、３Ｈ、ＳＰ、３Ｑ…が各端末１及びカード５に対して行うくじ引き結果の通知や優遇得点の処理は同一業種の場合とほぼ同じである。
カード５の代わりに携帯電話２５の場合は、図４と同様に各ホスト装置３等は電話交換局３１とそれぞれ接続されるが、その他以後各ホスト装置３等が各端末１１及び携帯電話２５に対して行うくじ引き結果の通知や優遇得点の処理は同一業種の場合とほぼ同じである。
異業種統合の場合も、訪問販売の場合はカード５を使用しない代わりに販売員がくじ引き結果を印刷して手渡す以外はカード５方式とほぼ同じである。
【００３１】
最後に異業種統合による賭け数指定方式について、まずカード５を使用する場合を説明する。
図１と同様にこの端末１から各ホスト装置３、３Ｈ、ＳＰ、３Ｑ…に当該カード５の固有情報及び優遇得点と、更にくじ引きに提供する所定の目標得点及び所定の参加希望会員数とを送信して、各記憶装置１０にそれぞれ登録する。
複数の端末１から同様にこれらの情報を各ホスト装置３等にそれぞれ独立に送信して、複数の各カード５に対応したくじ引き条件とその他情報を各記憶装置１０の一般ファイル１６内にそれぞれ集合する。
次に統合方式御部３０は、異なる業種間に渡って常時各一般ファイル１６内を検索して、所定の目標得点を満たすカード５を計数する。
統合方式御部３０は所定会員数に達するまで、以後の商取引に関して各端末１にその金額を入力する際には同様な処理を行うように、且つ各ホスト装置３などに対しては各カードに関する各優遇得点をそれぞれ加算して更新を行うようにそれぞれ指令する。
【００３２】
統合方式御部３０は目標得点を満たすカード５が指定枚数に達すると、異業種間に渡る複数のホスト装置３等の各一般ファイル１６内で目標得点を満たす各当該カード５について目標得点を統合総計する。
また各当該カード５においてそのくじ引きに提供した目標得点をそれぞれ消去するように各ホスト装置３などにそれぞれ指令する。
次に統合したこれら全発行済みのカード５を対象にくじ引きを行って、複数の入賞カードを選出する。商品（金）は参加者の全目標得点を統合総計したものである。
このくじ引き結果を各ホスト装置３など各一般ファイル１６内の全発行済みのカード５に対応した各種情報にそれぞれ追加するように指令する。
【００３３】
又これら選出された入賞カード５に対してのみ賞品（金）を分配するように各一般ファイル１６内の全発行済みのカード５に対応した各種情報にそれぞれ追加するように指令する。
各業界の各ホスト装置３、３Ｈ、ＳＰ、３Ｑ…が参加者カード５にくじ引き結果をそれぞれ通知したり、賞品（金）をそれぞれ分配する方法は前述の一任方式とほぼ同じである。
カード５の代わりに携帯電話２５の場合は、各ホスト装置３等は電話交換局３１とそれぞれ接続され、携帯電話２５からくじ引きに提供する所定の目標得点及び参加会員数を直接入力する。
【００３４】
その他以後各ホスト装置３等が各端末１１及び携帯電話２５に対して行うくじ引き結果の通知や優遇得点の処理は同一業種の場合とほぼ同じである。
訪問販売の場合はカード５を使用しない代わりに販売員がくじ引き結果を印刷して手渡す以外はカード５方式とほぼ同じである。
異業種間の統合により参加者のカード枚数の飛躍的な増大と、得点の巨大化により、当選賞金が絶大となり、世にも不思議な全国的なくじ引きが自然発生的に各地で起るようになる。消費者に負担のない幸運なくじ引きは各個人に容易に受け入れられると予想されるので、個人消費が活性化することが大いに期待できる。
【００３５】
次に図５のフロー図に従い図１、２、３を参照して、前述の動作について整理して説明する。
まずステップＳ１では顧客が商店Ａに立ち止まり、パンなどの買い物をする、そこで店員が端末１の起動スイッチを押すことにより、端末１は通信回線２を介して事務センターのホスト装置３と接続される。
ステップＳ２では顧客が商店Ａにとって最初の買い物客であれば、商店Ａの店員は端末１の登録開始ボタン４を押しホスト装置３に通知する。そしてステップＳ３に進み、未使用の手持ちのカード５を端末１の読み取り部６に挿入し、カード５自体には記録を行なうとともにホスト装置３に通知し、カード５の認知発行が実行される。
【００３６】
既に発行済み使用中カード５の場合はステップＳ２から直接に、新規登録の場合はステップＳ3からステップＳ４に進み、売り上げに比例した優遇得点が顧客のカード５に与えられ、発行済み使用中カード５の場合は加算される。
ステップＳ５ではサービスシステム側にお任せする一任方式１４にするのか、賭け数指定方式１５にするのか店員は顧客に問い、顧客の意志に従い決定する。一任方式１４の場合は商店Ａの店員は端末１の一任ボタン７を押しホスト装置３に通知し、ステップＳ６に進む。
一任方式１４ではない賭け数指定方式１５の場合は、端末１の文字テンキー８から希望得点、例えば得点「１００」と「５万人」など入力してホスト装置３に通知し、ステップＳ１１に進む。
【００３７】
ステップＳ６ではホスト装置３のＣＰＵ２０は電子時計１２を参照して、所定の日、例えば「10日」であるかどうかを調べる。「10日」でなければステップＳ１に戻り「１０日」になるまで次の買い物客のカード５を待ち、ステップＳ１からステップＳ６までを繰り返し商品販売を継続する。
「10日」なっていればステップＳ７に進み、ＣＰＵ２０は抽選部１２により一般ファイル１６内の多数のカード情報を参加者として、平等な乱数的なくじ引き抽選を行う。多数の参加者の中から極少数の入賞者を選出する。
【００３８】
ステップＳ８では極少数の入賞当選者を一般ファイル１６中にマーク３６を登録し、一任方式１４への参加者の全ポイントを集計し且つ全会員のこれまでの取得ポイントを消去する。極少数の各当選者には当選順位に応じて集計した巨大ポイントを配分する。
これはくじ引きで広く知られているジャックポット方式に似た方法を採用したもので、多数の参加者から集めた膨大な総合ポイントを極少数の入賞者に分配するので、極めて多くの消費者の興味を引きつけるものとなる。
【００３９】
ステップＳ９では、このカード５の保持者がいずれかの商店の端末１に立ち寄りくじ引き結果の問い合せを行うと、ホスト装置３のＣＰＵ２０は一般ファイル１６のマーク２８を検索して当落を判定する。ＣＰＵ２０は通信回線２を介してくじ引き結果を端末１に通知する。
ステップＳ１０でホスト装置３は当選したカードについて入賞ポイントの支払方法を端末１により通知する。くじ引き結果及び支払方法は端末１に備えた表示装置に表示したり、簡単な印字装置で印字したものを排出して通知できる。
【００４０】
一方ステップＳ５で、端末１の一任ボタン７が押されないと賭け数指定方式１５が希望されており、ステップＳ１１に進みＣＰＵ２０は、図３の組合せ表２２を読み出し、端末１に送る。端末１では表示装置に表示し、顧客の入力を待つ。表示装置を備えない場合は店員が顧客に印刷物した組合せ表２２を提示する。
顧客は端末１の文字テンキー８を使用して、組合せ表２２から希望組み合わせ：例えば第1グループ「１００ポイントの10万人」や第２グループ「５００ポイントの1万人」など入力してホスト装置３に通知する。
【００４１】
第1グループの一任方式１４に比べて必ずしも毎月くじ引きが期待できないので、この条件が満たされるまで、買い物数が増加するまで待たされる。しかし、ポイント数が参加者カード同士平等であり、消費者には納得しやすい。
第２グループ５００ポイントの1万人、第３グループ１０００ポイントの1万人、第４グループ１００００ポイントの5千人等と条件を高くすると、自己及び他の参加者の買い物数が増加するまで待たされるので、くじ引きまでの期間が次第に長くなるが、くじ引き時の獲得予想賞金が大きくなるので消費者にとて期待と夢が更に大きくなる。
【００４２】
以下ステップＳ１２からステップＳ１４までを第1グループについて説明する。
ステップＳ１２では、ホスト装置３は「１００ポイントの10万人」を希望するカード情報を一般ファイル１６から抜き出して、第1ファイル１７に移動する。
ステップＳ１３では入力されたカード５が１００ポイント以上であるかどうか調べる、以上ならステップＳ１４に進み、第1ファイル１７内のカード数が1万枚以上になったかどうか調べる。この2つの条件を満たしていたらステップＳ7に行き、第1ファイル１７内に移された1万枚のカード５を対象にくじ引き抽選を行う。以下の動作は一任方式とほぼ同じである。
【００４３】
以下同様にステップＳ１２からステップＳ１４までの動作は、第２グループ、第３グループ、…を指定した場合も、各カード情報を一般ファイル１６から抜き出して、第２ファイル１８、第３ファイル１９…にそれぞれ移動すれば、検索目標得点と参加会員数が互いに異なるだけでその他の動作は第１グループとほぼ同じである。
一任方式１４と指定方式１５とは区別登録すれば同時に執行でき、指定方式１５中で第１グループ、第２グループ、第３グループ…の同時平行進行も可能である。
【００４４】
【発明の効果】
国民は日常的に買い物をしており、日が沈み、日が昇ると食事をする、その為には殆ど毎日何らかの買い物をしている。今日では殆どの店でポイントが発行されているので、この発明を実行すると、更に個人消費の健全な拡大、流通の活性化が促進される。
本願の顧客優遇得点得点を利用したくじ引きシステムを多くのお店やサービス業者が採用することで、消費者に対しては労力や経済の負担を課すことなく副収入を与える機会を創造できる。主婦を中心にした購買者を夢のある買い物に導くことになり、各種業界の現在の売り上げ低迷を克服し、日常消費の延長線上で経済の活性化が自然と促進されることが期待できる。
更に、国際間で通用するマスターカード等にこの発明を応用すると、世界規模で莫大な賞品（金）が発生し、国境を越えた平和なゲーム形態の競争が期待できて、相互理解を深めるような世界市民の交流の場が開拓できる。
【図面の簡単な説明】
【図１】この発明の顧客優遇得点を利用したくじ引きシステムに使用される装置の全体構成を示す図である。
【図２】この発明の図１の記憶装置の詳細な構成を示す図である。
【図３】この発明のくじ引き条件を示す組合せ表の図である。
【図４】この発明の顧客優遇得点得点を利用したくじ引きシステムの変形例の図である。
【図５】この発明の動作を整理して説明するための流れ図である。
【図６】この発明を異業種間に拡大した全体構成を示す図である。
【符号の説明】
Ａ、Z  商店
１  端末
２、３２  通信回線
３、３Ｈ、ＳＰ、３Ｑ  ホスト装置
４  登録開始ボタン
５  カード
６  読み取り部
７  一任ボタン
８  文字テンキー
１０  記憶装置
１１、３４  電子時計
１２、３５  抽選部
１３  プログラム
１４   一任方式
１５  賭け数指定方式
１６  一般ファイル
１７  第１ファイル
１８  第２ファイル
１９  第３ファイル
２２  組合せ表
２５  携帯電話
２６  データ交換部
３０  統合方式御部
３１  電話交換局
３３  調整プログラム
３６  マーク
【図１】
0004351829.tif 000002
【図２】
0004351829.tif 000003
【図３】
0004351829.tif 000004
【図４】
0004351829.tif 000005
【図５】
0004351829.tif 000006
【図６】
0004351829.tif 000007